(57)【特許請求の範囲】
【請求項１】
コイルと電極を直列又は並列に接続して電力を供給すると共に、水中にオゾンガスを注入して水中に配置したコイルの共振磁力エネルギーと共振関係にあるイオン分子を酸化する工程と、水中に配置したコイルの磁力エネルギーにより水分子に結合された分子集団を小さくする工程と、水中に配置した電極から生じる電気分解エネルギーにより水分子を電気分解する工程とを同時に行い、オゾンガスの気泡の浮上に伴う水の循環により各工程をむらなく、且つ迅速に行うことを特徴とする水の電子処理方法。
【請求項２】
コイルと電極を直列又は並列に接続して電力を供給すると共に、水中にオゾンガスを注入して水中に配置したコイルの共振磁力エネルギーと共振関係にあるイオン分子を酸化する工程と、水中に配置したコイルの磁力エネルギーにより水分子に結合された分子集団を小さくする工程と、水中に配置した電極から生じる電気分解エネルギーにより水分子を電気分解する工程とを同時に行い、その途中でオゾンガスの供給を停止し、水中にエアーを注入することにより、水中に配置したコイルの磁力エネルギーにより溶存オゾンの分解を促進させる工程と、水中に配置した電極から生じる電気分解エネルギーにより溶存オゾンを消滅させて水素結合を再編成する工程とを付加し、エアーの気泡の浮上に伴う水の循環により各工程をむらなく、且つ迅速に行うことを特徴とする水の電子処理方法。
【発明の詳細な説明】
【０００１】
【発明の属する技術分野】
本発明は、飲料用加工水、医療用加工水、農業用加工水の機能向上、または農業廃水、工業廃水、生活排水の浄化などに使用する水の電子処理方法に関するものである。
【０００２】
【従来の技術】
磁力による水処理は、１９４５年ベルギー人の湯垢形成の削減に対する特許に始まり、ロシアを中心に実用化され、トマト、キュウリ、大豆、エンドウなどの野菜類の生育促進、収穫の４０％増大、コンクリート混練物の流動性の増大、布の染色歩留まり向上などの結果が報告されている。また日本でも、流体の活性化処理装置として特開平１０−２９６２６６号の発明が提案されている。しかし、磁力単独のエネルギーでは作用が弱く、常に再現性が得られないという問題点がある。
【０００３】
電気分解による水処理として特開平５−２２８４７４号、特開平５−１１１６９０号の発明が提案されている。この方法は水中に配置した電極に直流パルス電圧を印可し、電気分解作用で酸化還元電位をコントロールして、水中の有機物、無機物の凝集を行う水の改質法である。
この方法は、磁力による処理とは比較にならない程、処理水質は向上するが、この方法でも金属イオンなどの影響で、水質によっては処理効率の低下を招くという問題点がある。
【０００４】
また、処理目的の方向性は違うが、液体処理システムとして特開平１１−９０４２０号の発明が提案されている。この方法は、マイクロ波で浮遊物の分離後、超音波で凝集、電磁波で脱臭、オゾンで脱色、殺菌を行い、磁力で凝集物を吸着して水の改質を行うものである。
この処理方法は、非常に処理能力の高い方法であるが、バッチ処理のため装置が大型化してしまうこと、一連の処理時間の短縮が難しいという問題点がある。
【０００５】
【発明が解決しようとしている課題】
従来の技術は、何れも効果はみられるが充分に満足のいくものではなかった。水の中に存在する多くのエネルギーに対して、外部より微弱なエネルギーを与えて水の特性を変えようとしている。しかし、与えるエネルギーが存在するエネルギーより常に有効であるとはいえない。そのため常に最良の結果が得られていない欠点があった。また、複数の組み合わせはバッチ処理のため、それぞれ単独では良好な作用を示していても協調作用による処理時間の短縮がなされない欠点もあった。
【０００６】
そこで本発明は、水の分子に作用しているといわれている力に注目した。水は分子量１８の小さい分子であるが、クーロン力すなわち電荷を持っているイオンの間に働く力、全ての分子の間に働いて互いに引き合うロンドン−ファン・デル・ワールス力、水素結合という力が働いているとされている。また、水素結合は水や水溶液の性質を決める大切な力であるといわれている。
本発明では、オゾンの注入と同時期にコイルによる磁力作用と電極による電気分解作用が同時進行することによる協調作用が発揮され、従来の欠点を解消した新規な水の電子処理方法を提供することを目的とする。
【０００７】
【課題を解決するための手段】
本発明は上記の目的を達成するために、請求項１に記載の発明は、コイルと電極を直列又は並列に接続して電力を供給すると共に、水中にオゾンガスを注入して水中に配置したコイルの共振磁力エネルギーと共振関係にあるイオン分子を酸化する工程と、水中に配置したコイルの磁力エネルギーにより水分子に結合された分子集団を小さくする工程と、水中に配置した電極から生じる電気分解エネルギーにより水分子を電気分解する工程とを同時に行い、オゾンガスの気泡の浮上に伴う水の循環により各工程をむらなく、且つ迅速に行うことを特徴とする水の電子処理方法である。
【０００８】
この発明は、水中にオゾンガスを注入して水中のコイルに分離したイオン分子に共振する周波数を与えることにより、共振関係にあるイオン分子が、クーロン力、即ち電荷を持っているイオンの間に働く力が弱められて容易にオゾンの影響を受け、イオン間の電荷バランスが崩れて酸化する。
【０００９】
また、コイルの磁力エネルギーにより生じる磁力線により水を高速に振動させ、全ての分子間に働いて互いに引き合うロンドン−ファン・デル・ワールス力と水素結合によって結合されている大きな分子集団を小さな分子集団に切断する。
【００１０】
更に、水中に配置した電極から生じる電気分解エネルギーにより水分子を電気分解するとにより、陽極付近では、酸素ガスと水素イオンが生成してマイナスに荷電している水中の物質、例えば次亜鉛素酸イオン、炭酸イオン、亜硫酸イオンなどが集まり、陰極付近では、水素ガスと水酸化イオンが生成してプラスに荷電した物質、例えばナトリウムイオン、カリウムイオン、カルシウムイオンやプラスに荷電する軽金属類や重金属イオンなどが集まる。従って分子結合は切断されて、塩素ガスや炭酸ガスや亜硫酸ガスが空中に放出され、有害金属が分離されることにより、水の純度が向上し、相対的には酸化還元電位を下げる方向に作用する。
【００１１】
このように、それぞれの工程が同時に得意な処理を行うことにより、共振磁力とオゾンによるイオン反応や電気分解によるイオン反応、磁力線による分子集団の切断や電気分解による分子結合の切断などの共通項を、それぞれが協調して処理が行われる。この水の処理方法は、水中に溶存するオゾンの分解工程を含んでいないため、処理時間が短縮でき、主に廃水処理に利用される水の電子処理方法である。
【００１２】
次に、請求項２に記載の水の電子処理方法は、コイルと電極を直列又は並列に接続して電力を供給すると共に、水中にオゾンガスを注入して水中に配置したコイルの共振磁力エネルギーと共振関係にあるイオン分子を酸化する工程と、水中に配置したコイルの磁力エネルギーにより水分子に結合された分子集団を小さくする工程と、水中に配置した電極から生じる電気分解エネルギーにより水分子を電気分解する工程とを同時に行い、その途中でオゾンガスの供給を停止し、水中にエアーを注入することにより、水中に配置したコイルの磁力エネルギーにより溶存オゾンの分解を促進させる工程と、水中に配置した電極から生じる電気分解エネルギーにより溶存オゾンを消滅させて水素結合を再編成する工程とを付加し、エアーの気泡の浮上に伴う水の循環により各工程をむらなく、且つ迅速に行うことを特徴とする水の電子処理方法である。
【００１３】
この発明は、請求項１におけるイオン分子の酸化、水分子集団の切断、及び水の電気分解を同時に行い、その途中でオゾンガスの供給を停止し、水中にエアーを注入して前記水分子集団の切断、及び電気分解を継続することにより、磁力エネルギーにより生じる磁力線により水を高速に振動させ、過剰酸素原子を酸素分子より分離して溶存オゾンの分解を促進させ、電気分解エネルギーにより溶存オゾンを消滅させて水素結合を再編成(コントロール)することを付加している。これにより、水の改質が一台の装置により同時に行われる。
【００１４】
この請求項２の発明は、水中に溶存するオゾンの分解工程を含んでいるため、飲料用加工水、医療用加工水のような二次的なオゾン反応を嫌う厳密な水処理に適した水の電子処理方法である。
【００１５】
上記請求項１、請求項２の水の電子処理方法にあっては、コイルの磁力エネルギーと共振関係にあるイオン分子がクーロン力、即ち電荷を持っているイオンの間に働く力を弱められ、容易にオゾンの影響を受けてイオン間の電荷バランスを崩し酸化するため、成分の一部のイオンが欠損する。そのため再結合する時には元の状態には戻れないので、水の中に存在する他の成分のイオンと結合したり、結合できるイオンが存在しない場合は、分離沈殿する。この反応を用いて希望する水素結合にコントロールを行う。また、非共振の成分は、ロンドン−ファン・デル・ワールス力により分子集団（クラスター）は小さくなるが、クーロンの力まで影響を受けないため水の性質に変化は現れない。
【００１６】
また、コイルと電極から、基本周波数、変調周波数、直流電圧の単独、または合成成分の電子エネルギーを選択的に印可するものであるが、適宜の周波数を同時に送出すことにより、水素結合の状態が長い分子にも、短い分子にも効率よく作用させることができる。更に、適宜の合成波形を作り出すことにより、電極の電位を変化させ、電極にスケールが付着するのを防止できるので、処理能力の低下を起こすことがない。
【００１７】
また、請求項１、請求項２の水の電子処理方法にあっては、オゾンガスの泡の浮上作用、気泡の浮上作用による水の対流により、オゾンエネルギー、電気分解エネルギー、磁力エネルギーの各作用が、むらを生ずることなく、また各作用が協調して行われるため、迅速な水の電子処理を行うことができる。
【００１８】
【発明の実施の形態】
次に本発明の実施の形態を図１〜図４を参照して詳細に説明する。図１は本発明の水の電子処理方法に使用する装置の一実施例を示す斜視図である。図２は図１に示した水の電子処理方法に使用する装置の制御ユニット部おける電子回路のブロック図である。図３は図１に示した水の電子処理方法に使用する装置のエネルギー輻射ユニットの断面図である。図４は図３に示したエネルギー輻射ユニット内のコイルと電極の接続図を示している。
【００１９】
図１に示す制御ユニット部１には、図２で示す電子回路が収納されてる。制御ユニット部１の操作パネルには、基本周波数可変ツマミ２と変調周波数可変ツマミ３と基本周波数表示器４と変調周波数表示器５と直流印加電圧可変ツマミ６と出力表示器７と処理時間可変ツマミ８と動作表示ランプ９とタイマー動作開始スイッチ１０と電源スイッチ１１とが設けられている。また、制御ユニット部１の後部パネルには、送気ホース１２と吸気ホース１３と出力端子１４とヒューズ１５とが設けられていて、出力端子１４には電力送出コード１６が配線されている。またツマミ２．３．６．８は、それぞれ同一番号の抵抗やコンデンサーに接続されている。
【００２０】
基本周波数可変ツマミ２で選択された周波数は、基本周波数発信器１７で作られ、バッファアンプ１８で増幅され、プリスケラー１９で処理され、カウンター２０へ送り込まれて数値化され、基本周波数表示器４によりデジタル表示される。変調周波数可変ツマミ３で選択された周波数も、基本周波数と同様に処理され、変調周波数発信器２１、バッファアンプ２２、プリスケラー２３、カウンター２４を経由して、変調周波数表示器５によりデジタル表示される。
上記変調周波数発信器２１には、基本周波数発信器１７と同様の発信器と別途変調器が付加されているため、基本周波数発信器１７で作られた信号と、変調周波数発信器２１内の発信器で得られた信号とを変調器で合成処理するすることができ、それぞれの単周波数や合成周波数を得ることができる。
【００２１】
電力増幅器２５では、変調周波数発信器２１の出力信号を増幅すると共に、直流印可電圧可変ツマミ６で選択された電圧を混合する。出力表示器７には混合された直流成分のみが表示される。ここで得られる信号は、基本周波数発信器１７からの周波数、変調周波数発信器２１からの周波数、変調合成周波数、直流電圧、基本周波数発信器１７からの周波数＋直流電圧、変調周波数発信器２１からの周波数＋直流電圧、変調合成周波数＋直流電圧と多彩な信号となり、出力端子１４に接続されている電力送出コード１６に送られる。
【００２２】
処理時間可変ツマミ８は、３０分〜６０分の範囲内で時間を選択可能で、タイマー動作開始スイッチ１０が押されるとタイマー２６が動作する。その後、処理時間可変ツマミ８の設定値に従いタイマー２６の動作を停止する。この時、タイマー２６が動作中であることを動作表示ランプ９で表示する。タイマー２６の動作と連動して基本周波数発信器１７、変調周波数発信器２１、電力増幅器２５、送気ポンプ２７、吸気ポンプ２８、オゾン発生器２９が個別に制御される。
【００２３】
電源スイッチ１１は、電源プラグ３０より供給されるＡＣ１００Ｖの電力を、ヒューズ１５を経由して電源回路３１に接続する。電源回路３１では電子回路内に必要な電圧を作り出し電子回路内の各回路に供給する。
【００２４】
送気ポンプ２７は、水容器３２内の水を循環させるエアー元であり、オゾン発生器２９が動作中はオゾンガスを送気ホース１２に送り出し、エアストーン３３よりオゾンガスを発生させオゾン水を作る。また、オゾン発生器２９が停止時はエアストーン３３に空気を送る。
【００２５】
吸気ポンプ２８は、送気ポンプ２７により送られたオゾンガス又はエアーが、水容器３２内の圧力を高め、容器フタ３４との接触面よりオゾンガス又はエアーが漏れ出すのを防止する目的と、水容器３２内の上部に溜まる未溶解のオゾンガス又はエアーを吸気ホース１３を経由してオゾンキラー３５に導入する動作を果たす。
【００２６】
図３は、エネルギー輻射ユニットの断面図である。エネルギー輻射ユニットはコイル３６を外装し電極３７を内装した内容器３８と、送気ホース１２より送られてきたエアーを内容器３８の底部に位置させたエアーストーン３３へ中継するニップル３９と、水容器３２の上部のオゾンガス又はエアーを吸気する吸気ホース１３のニップル４０と、電力送出コード１６、コイル３６、電極３７を中継する端子４１とを取り付けた容器フタ３４と、この容器フタ３４を気密的に嵌合した水容器３２で構成している。
【００２７】
送気ホース１２よりオゾンガス又はエアーがエアーストーン３３に送り込まれると、エアーストーン３３からオゾンガス又はエアーの細かな気泡が発生し、エアーリフトにより内容器３８内の水は、上部の開口部４２より水容器３２内に流れだし、同時に、流れ出した量に等しい分量の水が内容器３８の底に設けた開口部４３より内容器３８内に流入し、水の攪拌が行われる。
【００２８】
図４は、エネルギー輻射ユニット内のコイル３６と電極３７の接続の違いを示している。図４（ａ）の直列接続４４は低周波帯域で主に使用され、図４（ｂ）の並列接続４５は高周波帯域で主に使用される。
【００２９】
次に本発明の、水の電子処理方法の動作と作用を流れに沿って説明する。先ず図２に示す電源プラグ３０に商用電源を得る。水容器３２には所定の量の水を入れ、容器フタ３４を閉める。ここで電源スイッチ１１をオンすると、基本周波数表示器４と変調周波数表示器５に現在の設定周波数が表示される。基本周波数可変ツマミ２では、本来目的とする処理機能の周波数をセットする。変調周波数可変ツマミ３では、基本周波数の処理機能を強化する周波数をセットするか、別の目的に対する複数の処理機能を持った周波数にセットする。次に、タイマー動作開始スイッチ１０を押すと全回路が動作を開始する。最後に直流印加電圧可変ツマミ６で、直流印加電圧を出力表示器７の表示値により電極３７で電気分解作用を行うエネルギーの強さをセットする。
【００３０】
タイマー動作前半では、オゾン発生器２９が動作してエアストーン３３よりオゾンガスが細かな気泡となって水の中に溶け込む。水の中には多くのエネルギーが存在する。各イオンの形で存在する分子が結合するとき、または離れるときエネルギーの吸収と放出をする。
【００３１】
イオンによるエネルギー反応は、外部より与えられた微弱なエネルギーに対して一時的には反応を示すが、エネルギーの授与を中止すると、時間の経過と共に元の状態に戻る。例えば、食塩の結晶はサイコロを積み重ねたような形をしている。プラスの電気を帯びたナトリウムイオンとマイナスの電気を持っている塩素イオンが、サイコロの各頂点に位置して規則正しく交互に並んでいる。この場合には、ナトリウムイオンと塩素イオンの間にはお互い引き合う力、ナトリウムイオン同士および塩素イオン同士の間には反発する力が働いていて、これをクーロンの力とよんでいる。クーロンの力は、電荷を持っているイオンの間に働く力である。
【００３２】
そこで、コイル３６に分離したイオン分子に共振する周波数を与えることにより、イオン分子がクーロン力、即ち電荷を持っているイオンの間に働く力を弱められ、容易にオゾンの影響を受けてイオン間の電荷バランスを崩し、酸化するため、成分の一部のイオンが欠損する。そのため、再結合する時には元の状態には戻れないので、水の中に存在する他の成分のイオンと結合したり、結合できるイオンが存在しない場合は、分離沈殿する。この反応を用いて希望する水素結合にコントロールを行う。また、非共振の成分は、ロンドン−ファン・デル・ワールス力により分子集団（クラスター）は小さくなるが、クーロンの力まで影響を受けないため、水の性質に変化は現れない。また、オゾンの作用をエアストーン３３より発生する気泡によるエアーリフト効果により水の流れができ、素早く、むらなく処理できる。
【００３３】
オゾンガスの放出と同時期にコイル３６と電極３７も作用をしている。水分子は、分子の中で正の電荷と負の電荷が分かれているために有極性分子の間には双極子による引力が働く。また、メタンのような分子では、正負の電荷が分かれていないので無極性分子であり内部引力は働かない。
【００３４】
しかし、ロンドン−ファン・デル・ワールス力は有極分子同士および有極分子と無極分子の間で働くことが証明されているため、この引力は全ての分子に働いていることになる。その作用範囲は、分子の直径の３倍程度いわれているため、これ以上離せば引力を失うことになる。この時期、コイル３５では、電力増幅器２５から送られてくる交流信号によってコイル３６で磁力線を発生させて水に振動を与えることにより、共振させることになる。そのため、変調回路を設けて複数の波形信号を合成できることは、水分子に複雑に結合された分子集団に対しても容易に作用をおよぼすことが可能となる。
【００３５】
これまでの動作が請求項１の発明に該当し、この処理で得られる処理水には、溶存オゾンが含まれているため、飲料用加工水や医療用加工水には適さないが、農業廃水、工業廃水、生活排水の浄化などに使用すれば、処理時間の大幅な短縮が可能となる。また、処理寸前の水を植物に与えると、溶存オゾンの影響による酸素係数の増大と、一部が欠損したイオンが炭酸同化に必要なイオンと結合して、葉の成長を促進する効果が観られた。
【００３６】
タイマー動作後半では、オゾン発生器２９は停止しエアーストーン３３からはエアーのみが放出される。この時間帯も、電極３７による電気分解作用で酸素と水素の泡が発生している。前半では、電極３７に対する電気分解の通電電流がオゾンの過剰酸素原子の影響で抑制されていたが、オゾン発生器２９が停止することで徐々にオゾンの影響が弱まり通電電流が回復して行く。更に、電気分解で発生する水素と過剰酸素原子が容易に反応するため、溶存オゾンを減少させ、オゾン消滅の方向に急速に進む。
【００３７】
オゾンの作用が弱まるに従い、電力増幅器２５から送られてくる交流信号と共振関係にあった成分のイオン分子は、オゾンの影響を受けてイオン間の電荷バランスを崩し、酸化して成分の一部のイオンが欠損しているため、元の状態には再結合できず、水の中に存在する他の成分のイオンと結合したり、結合できるイオンが存在しない場合は、分離沈殿する。
【００３８】
この反応を用いて希望する水素結合にコントロールを行う。また共振関係になかった成分は、ロンドン−ファン・デル・ワールス力により分子集団（クラスター）は小さくなるが、クーロンの力まで影響を受けないので、電気分解で発生する水素と結合され、元の状態に戻る。そのため水の性質に変化は現れない。このように、選択的に再結合される成分と再結合されない成分とが存在することにより、水の水素結合を希望する状態に変えることができる。
【００３９】
これまでの動作が請求項２の発明に該当するものであり、この処理で得られる処理水には、溶存オゾンが含まれていないため、飲料用加工水や医療用加工水のような二次的なオゾン反応を嫌う厳密な水処理に適した水の処理方法である。
【００４０】
上記作用を効率よく行うため、図３のようなエネルギー輻射ユニット機構とした。送気ホース１２よりオゾンガスが送り込まれるとエアストーン３３から細かな気泡が発生し、オゾンガスは水の中に溶け込みオゾン水を生成する。この時、水の中に溶け込めなかったオゾンガスは容器上部に溜まる。溜まったオゾンガスが容器外に漏れるのを防止するため、送気ポンプ２７と同じ容量の吸気ポンプ２８を動作させ、吸気ホース１３を経由してオゾンキラー３５でオゾンの分解をして、大気中にオゾンガスを含まない空気を放出する。
【００４１】
エアストーン３３は水中にあるため、気泡の上昇でエアーリフト作用が発生して水の流れを作る。エアーリフトによって内容器３８内の水は、上部の開口部４２より内容器３８外に流れ出す。また、流れ出した量に等しい量が内容器３８の底部の開口部４３より内容器３８内に流入する。内容器３８の内部の水と内容器３８の外部の水が循環することにより、エアストーン３３から発生するオゾンエネルギー作用、電極３７により発生する電気分解エネルギー作用、コイル３６より発生する磁力エネルギー作用が水の循環ラインで結ばれているので同時進行で各処理が行われる。
【００４２】
また、図３のエネルギー輻射ユニット断面図では、電極３７とコイル３６は図４の直列接続４４になっているが、図４の並列接続４５で動作させても良い。コイルと電極に電力を入力した場合ＬとＣとして動作する。直列接続４４の動作では、直流の電力は電極３７で消費されコイル３６には交流成分のみが作用するため、電極３７での電気分解作用は最大限まで設定可能であり、ＤＣ〜低周波帯域での使用に適している。また、並列接続４５の場合は、コイル３６に直接直流の電力が印可されるため、コイル３６は直流的には低い抵抗値とみなされる。そのため、発熱を考慮して電力を抑制するので、コイルで電力を効率よくエネルギーに変換できる高周波帯域での使用に適している。
【００４３】
本発明の実施形態によれば、基本周波数８０ＨＺ・変調周波数６１ＫＨＺ・直流印可電圧中レベルで請求項１の処理方法で処理した水で、成熟した洋シダの成長を確認したところ、根の成長係数が増大し、葉の大きさが３割程度、増加していることが認められた。通常、鉢植えの植物は、鉢のサイズで根の成長が抑制されるため、全体のサイズは鉢のサイズで決まる。しかし本発明に係る処理水にあっては、酸素係数の向上と、水素結合が変化することとによる水の特性が変化しているため、同じ条件でも根を密集させることが可能となる。
【００４４】
また、基本周波数４３０ＨＺ・変調周波数なし・−直流印可電圧強レベルで請求項１の処理方法で処理した水で、布の染色を行うと、繊維の表面に存在するイオンに対する色素の反応性が向上し、吸着速度が早まると共に色むらが起こりにくくなり、染色の歩留まりが向上する。このことは、染料のイオンの状態が繊維のイオンに対して速やかに反応することと、反応を阻害するイオンの状態が消去されたことによる結果である。
【００４５】
また、基本周波数４３０ＨＺ・変調周波数６１ＫＨＺ・直流印可電圧強レベルで請求項２の処理方法で処理した水の中に、黄褐色の浮遊物が確認されたので、原子吸光光度法で分析した結果、多量の酸化鉄が検出された。オゾン反応単独でこのレベルまで水中の鉄を酸化するには、１ｇ／ｈ以上のオゾンガスが必要であるが、本発明では、１００ｍｇ／ｈ程度のオゾンガスしか発生しないため、設定周波数の磁力線が鉄の分子レベルに反応して、クーロンの力を弱めたことによる結果である。
【００４６】
また、基本周波数１００ＨＺ・変調周波数３７ＫＨＺ・直流印可電圧中レベルで請求項１の処理方法で処理した水を一日放置した後、茶栽培の葉面散布液を希釈する水に使用した結果、葉の厚みが増すと共に外形が大きく成長して、通常の生産より二割程度の増収となった。このことは、設定周波数の磁力線の影響で葉面散布液のイオン活性を高めると共に、分子集団（クラスター）を微細構造化するため、茶葉の細胞に対する吸収率を高めたことによる結果である。
【００４７】
【発明の効果】
以上説明したように、本発明によれば、発信周波数、変調周波数、直流電圧を設定し、適宜の合成波形を作り出すことにより、電極の電位を変化させ、電極にスケールが付着するのを防止でき、オゾン作用と連動した各作用が協調して行われるため、特に安定した磁気作用と電気分解作用により電子の授与が行われ、水分子に複雑に結合された分子集団に対しても容易に作用し、処理時間の短縮がなされ、簡単に且つ効率良く、しかも再現性のある水の電子処理ができる。
【００４８】
本発明は、複数の装置を設置する必要がなく、一台の装置で、飲料用加工水、医療用加工水、農業用加工水の機能の向上を図ることができるので、極めて経済的である。また、請求項１の発明は、農業廃水、工業廃水、生活排水の浄化処理を、請求項２の発明は、農業廃水、工業廃水、生活排水の浄化処理のみでなく、飲料用、医療用加工水の浄化処理を施すことができる。
【図面の簡単な説明】
【図１】本発明の水の電子処理方法に使用する装置の一実施例を示す斜視図である。
【図２】図１に示した水の電子処理方法に使用する装置の制御ユニット部に収納されている電子回路のブロック図である。
【図３】図１に示した水の電子処理方法に使用する装置のエネルギー輻射ユニットの断面図である。
【図４】図３に示したエネルギー輻射ユニット内のコイルと電極の接続図である。
【付号の説明】
１    制御ユニット部
２    基本周波数可変ツマミ
３    変調周波数可変ツマミ
４    基本周波数表示器
５    変調周波数表示器
６    直流印加電圧可変ツマミ
７    出力表示器
８    処理時間可変ツマミ
９    動作表示ランプ
１０  タイマー動作開始スイッチ
１１  電源スイッチ
１２  送気ホース
１３  吸気ホース
１４  出力端子
１５  ヒューズ
１６  電力送出コード
１７  基本周波数発振器
１８  バッファアンプ
１９  プリスケラー
２０  カウンター
２１  変調周波数発振器
２２  バッファアンプ
２３  プリスケラー
２４  カウンター
２５  電力増幅器
２６  タイマー
２７  送気ポンプ
２８  吸気ポンプ
２９  オゾン発生器
３０  電源プラグ
３１  電源回路
３２  水容器
３３  エアーストン
３４  容器フタ
３５  オゾンキラー
３６  コイル
３７  電極
３８  内容器
３９  ニップル
４０  ニップル
４１  端子
４２  開口部
４３  開口部
４４  直列接続
４５  並列接続
【図１】
0003803005.tif 000002
【図２】
0003803005.tif 000003
【図３】
0003803005.tif 000004
【図４】
0003803005.tif 000005